(57)【要約】  撮像装置３０にはカメラグリップ６０を着脱可能に装着するマウント部３５を設け、カメラグリップには撮像装置３０に着脱可能に装着するマウント部６５を設ける。撮像装置とカメラグリップに設けたマウント部３５，６５をバヨネット機構で構成することで、カメラグリップ６０の着脱を容易に行うことか可能となり、操作性を向上できる。また、撮像装置３０とカメラグリップ６０とを接続する接続ケーブル７５は、マウント部６５を軸としたグリップ本体部６１の回動に応じてマウント部６５に巻き付けまたは巻き戻しされて、接続ケーブル７５がカメラグリップ６０に設けられている操作部６２のスイッチ操作の障害になることがない。撮像システムの操作性を向上できるようになる。
2017038272.tif 000002
【特許請求の範囲】
【請求項１】
装置本体にカメラグリップを着脱可能に装着するマウント部を設け、
前記マウント部をバヨネット機構で構成した撮像装置。
【請求項２】
前記装置本体と前記カメラグリップを接続する接続ケーブルの前記装置本体におけるケーブル方向を、前記マウント部の接線方向とした
請求項１に記載の撮像装置。
【請求項３】
前記装置本体の前記マウント部を設けた面に、前記接続ケーブルを接続するためのジャックを設け、
前記ジャックに対するプラグの挿脱方向を、前記プラグが取り付けられた接続ケーブルのケーブル方向が前記マウント部の上側接線となる方向とした
請求項２に記載の撮像装置。
【請求項４】
前記マウント部の内部に菊座と、
前記菊座の中央に固定用ねじ穴を設けた
請求項１に記載の撮像装置。
【請求項５】
グリップ本体部を撮像装置に着脱可能に装着するためのマウント部を前記グリップ本体部から突出して設け、
前記マウント部をバヨネット機構で構成したカメラグリップ。
【請求項６】
前記グリップ本体部は、前記マウント部を軸として回動可能に構成した
請求項５に記載のカメラグリップ。
【請求項７】
前記グリップ本体部と前記撮像装置を接続する接続ケーブルの位置を、前記マウント部に巻回する方向に規制するケーブルガイド部を設けた
請求項５に記載のカメラグリップ。
【請求項８】
前記ケーブルガイド部は、前記マウント部の周縁から所定間隔離れて前記マウント部の周方向に設けられて前記マウント部の突出方向に突出したケーブルガイド突起部、または、前記マウント部の周縁から所定間隔離れた位置までを溝幅として前記マウント部の周方向に形成されたケーブルガイド溝部である
請求項７に記載のカメラグリップ。
【請求項９】
撮像装置とカメラグリップを有し、
前記撮像装置に前記カメラグリップを着脱可能に装着するマウント部を設け、
前記カメラグリップに前記撮像装置に着脱可能に装着するマウント部を設け、
前記撮像装置と前記カメラグリップに設けた前記マウント部をバヨネット機構で構成した撮像システム。
【請求項１０】
前記カメラグリップのグリップ本体部は、前記マウント部を軸として回動可能に構成されており、
前記撮像装置では、前記撮像装置と前記カメラグリップを接続する接続ケーブルのケーブル方向を前記マウント部に対する接線方向として、
前記カメラグリップには、前記接続ケーブルの位置を前記マウント部に巻回する方向に規制するケーブルガイド部を設けて、
前記撮像装置に前記カメラグリップが装着されたとき、前記撮像装置におけるケーブル方向が前記カメラグリップのケーブルガイド部で規制されるケーブル方向となるように構成して、前記グリップ本体部の回動に応じて前記接続ケーブルの前記マウント部に対する巻き付けまたは巻き戻しを行う
請求項９に記載の撮像システム。
【発明の詳細な説明】
【技術分野】
【０００１】
この技術は撮像装置とカメラグリップおよび撮像システムに関し、操作性を向上できるようにする。
【背景技術】
【０００２】
従来、撮像装置には、ユーザが撮像時に把持するカメラグリップが設けられている。例えば特許文献１では、撮像装置とカメラグリップにマウント部を設けて、撮像装置のマウント部に雄ねじ部、カメラグリップのマウント部に雌ねじ部をそれぞれ形成して、雄ねじ部と雌ねじ部を螺合することで、撮像装置にカメラグリップが取り付けられている。また、撮像装置のマウント部の中央にはピンジャック、カメラグリップの中央には電気通信用ピンプラグが設けられており、雄ねじ部と雌ねじ部を螺合すると、電気通信用ピンプラグがピンジャックに挿入された状態となる。したがって、撮像装置にカメラグリップを取り付けることで、撮像装置とカメラグリップを電気的に接続することができる。
【先行技術文献】
【特許文献】
【０００３】
【特許文献１】特開２０１３−０９２６７８号公報
【発明の概要】
【発明が解決しようとする課題】
【０００４】
ところで、撮像装置またはカメラグリップの一方に雄ねじ部を形成して、他方に雌ねじ部を形成する構成では、撮像装置とカメラグリップを連結する場合、雄ねじ部と雌ねじ部を螺合する操作が必要となる。したがって、撮像装置に対してカメラグリップの着脱を速やかに容易に行うことができない。また、マウント部の中央にピンプラグとピンジャックが配置されていることから、撮像装置に設けられたピンジャックを他のアクセサリ等で利用するためには、カメラグリップを撮像装置から取り外さなければならず、操作性の悪化を招いてします。【０００５】
そこで、この技術では操作性を向上できる撮像装置とカメラグリップおよび撮像システムを提供することを目的とする。
【課題を解決するための手段】
【０００６】
この技術の第１の側面は、装置本体にカメラグリップを着脱可能に装着するマウント部を設け、マウント部をバヨネット機構で構成した撮像装置にある。【０００７】
この技術では、撮像装置の装置本体にバヨネット機構を用いたマウント部が設けられて、このマウント部にカメラグリップが着脱可能に装着される。また、装置本体とカメラグリップを接続する接続ケーブルの装置本体におけるケーブル方向は、マウント部の接線方向とされる。例えば、装置本体のマウント部を設けた面に、接続ケーブルを接続するためのジャックが設けられて、ジャックに対するプラグの挿脱方向は、プラグを取り付けた接続ケーブルのケーブル方向がマウント部に対する上側接線の方向に設定されている。また、マウント部の内部に菊座と、菊座の中央にアクセサリを固定するねじ穴が設けられて、カメラグリップに代えて他のアクセサリが接続可能とされる。【０００８】
この技術の第２の側面は、グリップ本体部を撮像装置に着脱可能に装着するためのマウント部を前記グリップ本体部から突出して設け、前記マウント部をバヨネット機構で構成したカメラグリップにある。【０００９】
この技術では、カメラグリップのグリップ本体部にバヨネット機構を用いたマウント部が、グリップ本体部から突出して設けられて、このマウント部に撮像装置が着脱可能に装着される。また、グリップ本体部は、マウント部を軸として回動可能に構成されている。さらに、カメラグリップには、グリップ本体部と撮像装置を接続する接続ケーブルの位置を、マウント部に巻回する方向に規制するケーブルガイド部が設けられる。例えば、ケーブルガイド部としては、グリップ本体部から円筒状に突出して設けられているマウント部の縁から所定間隔離れた位置であって、マウント部の突出方向に突出してマウント部の周方向に形成されたケーブルガイド突起部、または、マウント部の縁から所定間隔離れた位置までを溝幅としてマウント部の周方向に形成されたケーブルガイド溝部が設けられる。【００１０】
この技術の第３の側面は、撮像装置とカメラグリップを有し、前記撮像装置に前記カメラグリップを着脱可能に装着するマウント部を設け、前記カメラグリップに前記撮像装置に着脱可能に装着するマウント部を設け、前記撮像装置と前記カメラグリップに設けた前記マウント部をバヨネット機構で構成した撮像システムにある。【００１１】
この技術の撮像システムでは、バヨネット機構を用いて撮像装置とカメラグリップが着脱可能に装着される。また、カメラグリップのグリップ本体部は、マウント部を軸として回動可能に構成されている。撮像装置では、撮像装置とカメラグリップを接続する接続ケーブルのケーブル方向がマウント部に対する接線方向とされる。また、カメラグリップには、接続ケーブルの位置をマウント部に巻回する方向に規制するケーブルガイド部が設けられる。ここで、撮像装置にカメラグリップが装着された状態では、撮像装置におけるケーブル方向がカメラグリップのケーブルガイド部で規制されるケーブル方向とされて、グリップ本体部の回動に応じて接続ケーブルがマウント部に巻き付けまたは巻き戻しされる。
【発明の効果】
【００１２】
この技術によれば、撮像装置の装置本体にカメラグリップを着脱可能に装着するマウント部が設けられて、マウント部がバヨネット機構で構成される。したがって、撮像装置とカメラグリップとの着脱が容易となり操作性を向上できる。なお、本明細書に記載された効果はあくまで例示であって限定されるものではなく、また付加的な効果があってもよい。
【図面の簡単な説明】
【００１３】
【図１】撮像システムの右側面図である。
【図２】撮像システムの正面図である。
【図３】撮像システムの背面図である。
【図４】撮像システムの平面図である。
【図５】撮像システムの機能ブロックを例示した図である。
【図６】撮像装置のマウント部を例示した図である。
【図７】カメラグリップのマウント部を例示した図である。
【図８】撮像装置とカメラグリップのマウント部を構成する構成要素の分解斜視図を例示した図である。
【図９】撮像装置におけるケーブル配置を例示した図である。
【図１０】カメラグリップにおけるケーブル配置を例示した図である。
【図１１】撮像装置とカメラグリップとの位置関係が変化した場合を例示した図である。
【図１２】菊座を説明するための図である。
【図１３】撮像装置のマウント部の他の構成を例示した図である
【発明を実施するための形態】
【００１４】
以下、本技術を実施するための形態について説明する。なお、説明は以下の順序で行う。
１．撮像システムの全体構成
１−１．撮像システムの外観構成
１−２．撮像システムの機能構成
２．撮像装置とカメラグリップの機械的接続構成
３．撮像装置とカメラグリップの電気的接続構成
４．撮像装置のマウント部の他の構成
【００１５】
＜１．撮像システムの全体構成＞
［１−１．撮像システムの外観構成］
図１乃至図４は、本技術の撮像システムの外観を例示している。なお、図１は、撮像システムの右側面図である。図２は、撮像システムの正面図である。図３は、撮像システムの背面図である。図４は、撮像システムの平面図である。
【００１６】
撮像システム１０は、レンズユニット２０、撮像装置３０、カメラグリップ６０を用いて構成されている。カメラグリップ６０は、撮像装置３０に着脱可能に構成されており、撮像装置３０とは別個に提供されてもよい。
【００１７】
レンズユニット２０は、撮像装置３０の前面に取り付けられている。レンズユニット２０は、被写体からの光を集光する撮像レンズや撮像レンズの光学倍率を所定の範囲で可変するズーム機構等を有している。
【００１８】
撮像装置３０の上面にはハンドル部３３１が形成されている。ハンドル部３３１は、ユーザが撮像システム１０を持ち歩く際や撮像システム１０を低い位置で用いる際に、撮像システム１０を保持するためにユーザが手で握ることができるように設けられている。ハンドル部３３１における前端側の右側面にはマイク取付部３３２が設けられている。撮像装置３０の上面後部側にはビューファインダ部３４が設けられている。ビューファインダ部３４は、カメラスルー画像や記録媒体に記録されている画像、メニュー画像、種々の情報等を表示する。
【００１９】
撮像装置３０の後面には、撮像システム１０を動作させるために必要な電力を供給するバッテリー８０が装着される。また、撮像装置３０の上面や左側面および背面には、各種操作スイッチで構成した操作部３２が設けられている。
【００２０】
撮像装置３０の右側面には、カメラグリップ６０を着脱可能に取り付けるためのマウント部３５が設けられている。また、マウント部３５の近傍には、撮像装置３０とカメラグリップ６０を電気的に接続するための接続ケーブルを取り付けるジャックが設けられている。なお、マウント部や接続ケーブルの詳細は後述する。
【００２１】
カメラグリップ６０は、グリップ本体部６１とマウント部６５で構成されている。グリップ本体部６１は、ユーザが把持する部分であり、ユーザの手で容易に把持できる形状とされている。グリップ本体部６１には、ユーザがグリップ本体部６１を把持している状態で操作可能な位置に操作部６２が設けられている。操作部６２には、焦点距離を調整するズームスイッチ６２１、記録の開始または終了を指示するＲＥＣボタン６２２が設けられている。さらに、操作部６２には、機能が固定されているスイッチだけでなく、機能の変更が可能なアサイナブルボタン６２３，６２４、アサイナブルボタンに対して機能の割り当てや割り当てられた機能を変更するための設定ボタン６２５が設けられている。また、操作部６２には、機能等の選択のためのジョグダイヤル６２６等が設けられている。また、グリップ本体部６１には、マウント部６５に対するグリップ本体部６１の位置を調整可能とするロック解除ボタン６２７が設けられている。ここで、ユーザがロック解除ボタン６２７でロック解除操作を行うと、グリップ本体部６１はマウント部６５を軸として矢印ＭＡ方向に回動可能となり、その後ロック解除操作を終了すると、終了時の回動位置でグリップ本体部６１の位置が固定される。したがって、カメラグリップ６０を撮像装置３０
に装着した状態でロック解除ボタン６２７を操作すれば、撮像装置３０に対してグリップ本体部６１の位置を所望の向きに調整することができる。
【００２２】
また、グリップ本体部６１には、グリップ本体部６１を撮像装置３０と電気的に接続するための接続ケーブル７５が設けられている。接続ケーブル７５の先端にはプラグが設けられている。
【００２３】
［１−２．撮像システムの機能構成］
図５は撮像システムの機能ブロックを例示した図である。撮像装置３０は、撮像部３０１、映像信号処理部３０２、音声信号処理部３０３、記録再生部３０４、レンズ駆動部３０５、制御部３１０、電源部３１５、操作部３２、バッテリー８０、記録媒体８６等を備えている。また、カメラグリップ６０は、上述のように操作部６２を備えている。
【００２４】
撮像部３０１は、例えばＣＭＯＳ（complementary metal-oxide semiconductor device）やＣＣＤ（Charge−Coupled Device）等の撮像素子を用いて構成されている。撮像部３０１は、レンズユニット２０によって撮像面に結像された光学像の光電変換を行い、撮像信号を生成して映像信号処理部３０２に出力する。
【００２５】
映像信号処理部３０２は、撮像信号に対してノイズ除去処理、ゲイン調整処理、輝度や色の調整処理を行う。また、映像信号処理部３０２は、調整処理後の映像信号や記録再生部３０４で読み出された映像信号をビューファインダ部３４の画素数に対応した映像信号に変換する処理やメニュー表示等の表示信号を映像信号に重畳する処理を行う。また、映像信号処理部３０２は、容易に所望の撮像画像を得られるようにビューファインダ画像に対する映像処理例えば中央部分を拡大して表示する処理等を行うようにしてもよい。映像信号処理部３０２は、処理後の映像信号をビューファインダ部３４に出力する。音声信号処理部３０３は、マイクロフォンで生成された音声信号を増幅する処理等を行い記録再生部３０４に出力する。
【００２６】
記録再生部３０４は、制御部３１０からの指示に基づき、映像信号や音声信号等の情報信号を記録媒体８６に記録する処理、記録媒体８６に記録されている情報信号を読み出して再生する処理を行う。また、記録再生部３０４は、記録媒体８６から読み出した映像信号を、映像信号処理部３０２を介してビューファインダ部３４に供給する処理等を行う。さらに、記録再生部３０４は、外部機器に対して所定のフォーマットで情報信号を出力する処理等を行う。なお、記録媒体８６は、着脱可能な記録媒体であってもよく、撮像装置３０の内部に固定して設けられた記録媒体であってもよい。
【００２７】
レンズ駆動部３０５は、制御部３１０からの指示に基づき、レンズユニット２０を駆動して所望のズーム倍率に設定する。また、レンズ駆動部３０５は、撮像部３０１における撮像素子の撮像面に結合される光学像が鮮明な像となるようにフォーカス調整を行うようにしてもよい。
【００２８】
操作部３２は、撮像装置３０の側面や背面および上面に設けられた操作スイッチで構成されている。操作部３２は、ユーザのスイッチ操作に応じた操作信号を生成して制御部３１０に出力する。操作部６２は、カメラグリップ６０のグリップ本体部６１に設けられた操作スイッチで構成されている。操作部６２は、接続ケーブル７５を介して撮像装置３０と電気的に接続されている。操作部６２は、ユーザのスイッチ操作に応じた操作信号を生成して制御部３１０に出力する。
【００２９】
制御部３１０は、図示せずも例えばＣＰＵ（Central Processing Unit）、ＥＥＰＲＯＭ（Electrically Erasable Programmable ROM）、ＲＯＭ（Read Only Memory）、ＲＡＭ（Random Access Memory）などから構成されている。制御部３１０におけるＲＯＭには、制御部３１０で各種の制御処理を実行するためのプログラムが格納されている。ＣＰＵは、該プログラムに基づいて動作して、ＲＡＭを用いながら、各制御のための必要な演算・制御処理を実行する。当該プログラムは、撮像装置３０に内蔵されたＲＯＭに予め格納しておく場合に限らず、リムーバブル記録媒体に格納されて撮像装置３０に提供されてもよくＬＡＮやインターネット等のネットワークを介して撮像装置３０にダウンロードされてもよい。
【００３０】
制御部３１０は、操作部３２，６２に対するユーザ操作等に基づき、撮像システム１０でユーザ操作に応じた動作が行われるように各部を制御する。制御部３１０は、例えば電源スイッチに対するユーザ操作に基づいて撮像システム１０の電源のオン、オフを行う。また、制御部３１０は、ズームスイッチに対するユーザ操作に基づきレンズ駆動部３０５を制御して、レンズユニット２０の焦点距離をユーザ操作に応じて変化させる。また、制御部３１０は、ＲＥＣボタンに対するユーザ操作に基づいて情報信号の記録を開始または停止させる。
【００３１】
また、制御部３１０は、アサイナブルボタンに対するユーザ操作に基づいて、操作されたアサイナブルボタンに割り当てられている機能を実行する制御を行う。さらに、制御部３１０は、設定ボタンに対するユーザ操作に基づいて、アサイナブルボタンに機能を割り当てる。なお、アサイナブルボタンには、例えば種々のマーカーの表示機能、レックレビュー機能、ビューファインダ部のモード切替機能、フォーカス調整を容易とするためのビューファインダ画像切替機能、輝度に関する情報の表示機能等が割り当て可能とされている。
【００３２】
電源部３１５は、撮像装置３０に装着されたバッテリー８０から撮像システム１０の各部に電力供給を行う。
【００３３】
＜２．撮像装置とカメラグリップの機械的接続構成＞
撮像装置３０とカメラグリップ６０には、撮像装置３０とカメラグリップ６０を接続するマウント部が設けられており、マウント部はバヨネット機構を用いて構成されている。図６は撮像装置のマウント部、図７はカメラグリップのマウント部をそれぞれ例示している。また、図８は、撮像装置とカメラグリップのマウント部を構成する構成要素の分解斜視図を例示している。
【００３４】
撮像装置３０のマウント部３５は、右側面に形成された円形状凹部３５１にリング状のマウントベース部３５２が嵌装されている。マウントベース部３５２の内周面には、突出してバヨネット爪３５２ａが形成されている。また、円形状凹部３５１の底面とマウントベース部３５２との間には、リング状に形成された板バネ部３５３が設けられている。板バネ部３５３の内周側には、マウントベース部３５２の方向に突出した弾性片３５３ａがバヨネット爪３５２ａと対向する位置に設けられている。弾性片３５３ａは、弾性片３５３ａとバヨネット爪３５２ａとの間に挿入されたマウント部６５のバヨネット爪６５２ａをバヨネット爪３５２ａに押しつけるように付勢する。マウントベース部３５２の外側面（円形状凹部３５１の表側面）には、マウント部３５の見栄えをよくするために体裁リング３５４が設けられている。さらに、マウントベース部３５２と板バネ部３５３および体裁リング３５４には、それぞれを積層して円形状凹部３５１にねじで固定するためのねじ孔３５２ｂ，３５３ｂ，３５４ｂが設けられている。
【００３５】
グリップ本体部６１における撮像装置３０との対向面６１ａには、マウント部６５が設けられている。マウント部６５は、対向面６１ａから撮像装置の方向に突出した円筒状のマウントベース部６５１と、マウントベース部６５１の先端側に設けられた円筒状のマウント本体部６５２で構成されている。マウント本体部６５２の先端部分の外周面には、突出してバヨネット爪６５２ａが形成されている。なお、マウント部３５，６５におけるバヨネット爪は、３個に限らず３個未満または３個よりも多く設けられていてもよい。
【００３６】
また、マウント部３５には、撮像装置３０にカメラグリップ６０が装着されたとき、撮像装置３０のマウント部３５に対するカメラグリップ６０のマウント部６５の回転を規制するようにロック機構（図示せず）が設けられている。したがって、カメラグリップ６０の操作中にマウント部３５に対してマウント部６５が回転して、撮像装置３０からのカメラグリップ６０の脱落等を防止できる。ロック機構としては、例えばマウント部３５にロックピン、マウント本体部６５２に係合孔を設ければよい。
【００３７】
カメラグリップ６０を撮像装置３０へ装着する場合、ユーザは、撮像装置３０におけるマウント部３５のバヨネット爪３５２ａの間に、カメラグリップ６０におけるマウント部６５のバヨネット爪６５２ａの位置を合わせる。さらに、ユーザは、位置を合わせた状態で、カメラグリップ６０のマウント本体部６５２を撮像装置３０の円形状凹部３５１に挿入する。その後、ユーザは、バヨネット爪６５２ａがバヨネット爪３５２ａよりも奥側の位置となる所定位置まで挿入したマウント本体部６５２を、挿入方向を回転軸として回転させる。このとき、バヨネット爪６５２ａはバヨネット爪３５２ａと噛み合った状態（重なり合った状態）となり、マウント部３５とマウント部６５が連結した状態となる。すなわち、撮像装置３０にカメラグリップ６０が固定された状態となる。さらに、バヨネット爪６５２ａとバヨネット爪３５２ａが噛み合う所定の位置までマウント部６５が回転されると、マウント部３５のロックピンがマウント本体部６５２の係合孔に挿入されるように構成する。このようにロック機構を設けることで、マウント部３５に対してカメラグリップ６０のマウント部６５を固定できる。また、ロックピンを係合穴から抜き出す操作を行えば、マウント部３５に対してマウント部６５を回動させることが可能となり、撮像装置３０からカメラグリップを取り外すことが可能となる。
【００３８】
このように、マウント部をバヨネット構造としたことで、撮像装置３０とカメラグリップ６０の着脱を速やかに容易に行うことができる。また、上述のようにロック機構を設けることで、ロック解除操作例えばロックピンと係合穴との係合状態を解除するユーザ操作が行われるまでは、マウント部３５とマウント部６５との連結状態が保持される。したがって、撮像装置３０からのカメラグリップ６０の脱落等を確実に防止できる。
【００３９】
さらに、板バネ部３５３の弾性片３５３ａは、バヨネット爪６５２ａをバヨネット爪３５２ａに押しつけるように付勢することから、マウント部３５は、マウント部６５をバヨネット爪６５２ａとバヨネット爪３５２ａが噛み合った状態でがたつき等を生じることなく保持できる。
【００４０】
なお、マウント部３５，６５は、それぞれにバヨネット爪を形成して、互いのバヨネット爪が噛み合った状態（重なり合った状態）となってマウント部３５とマウント部６５を連結するバヨネット構造に限られない。例えば、一方のマウント部にバヨネット爪を形成して、他方のマウント部にバヨネット爪と重なる係合部を設けることで、マウント部を連結できるバヨネット構造を用いてもよい。
【００４１】
＜３．撮像装置とカメラグリップの電気的接続構成＞
撮像システムにおける撮像装置とカメラグリップの電気的接続は、上述のように接続ケーブル７５を用いて行われる。また、カメラグリップのグリップ本体部６１は、マウント部６５を軸として図１の矢印ＭＡ方向に回動可能に構成されている。したがって、撮像システム１０は、撮像装置３０に対してグリップ本体部６１の位置が変更されても、接続ケーブル７５がグリップ本体部６１のスイッチ操作の障害とならないように構成する。例えば接続ケーブル７５は、グリップ本体部６１の矢印ＭＡ方向の回動に応じてマウント部６５の周囲に巻き付きまたは巻き戻しされるように構成することで、接続ケーブル７５が大きく撓んでスイッチ操作等の障害とならないようにする。
【００４２】
図９は、撮像装置におけるケーブル配置を例示している。撮像装置３０では、接続ケーブル７５のケーブル方向がマウント部３５に対して接線方向とされている。接続ケーブル７５に設けられたプラグ７６が挿入されるジャック３６は、カメラグリップ６０の取り付け面である撮像装置３０の右側面に設けられている。また、ジャック３６は、プラグの挿脱方向が、ケーブル方向をマウント部３５の上側接線とする矢印ＦＢの向きとなる方向とされている。
【００４３】
図１０は、カメラグリップにおけるケーブル配置を例示している。接続ケーブル７５は、グリップ本体部６１における撮像装置との対向面６１ａから引き出されている。この対向面６１ａには、接続ケーブル７５の位置を、マウント部６５に巻回する方向に規制するケーブルガイド部が設けられている。ケーブルガイド部としては、ケーブルガイド突起部および／またはケーブルガイド溝部が設けられている。
【００４４】
ケーブルガイド突起部６７は、マウント部６５とケーブルガイド突起部６７によって、接続ケーブル７５がマウント部６５に対して巻き付き方向ＦＧに位置が規制されるように形成されている。具体的には、ケーブルガイド突起部６７は、マウント部６５の縁から接続ケーブルの太さに応じた所定間隔だけ離れた位置であって、マウント部６５の突出方向に突出してマウント部６５の周方向に形成されている。また、マウントベース部６５１の周囲であって撮像装置方向のせり出しが多い部分では、ケーブルガイド溝部６８が形成されている。具体的には、ケーブルガイド溝部６８は、マウント部６５の縁から接続ケーブルの太さに応じた所定間隔だけ離れた位置までを溝幅としてマウント部６５の周方向に形成されている。したがって、接続ケーブル７５は、マウント部６５とケーブルガイド突起部６７およびケーブルガイド溝部６８によって、位置が規制される。
【００４５】
図１１は、撮像装置とカメラグリップとの位置関係が変化した場合を例示している。なお、図１１の（ａ）撮像方向が例えば水平方向である撮像ポジションの場合の接続ケーブル７５の位置を例示している。図１１の（ｂ）は撮像方向が下向き方向である撮像ポジションの場合の接続ケーブル７５の位置を例示している。図１１の（ｃ）は撮像方向が上向き方向である撮像ポジションである場合の接続ケーブル７５の位置を例示している。撮像装置３０とカメラグリップ６０の位置関係は、カメラグリップ６０のロック解除ボタン６２７（図４参照）を操作して変更可能である。すなわち、ユーザがロック解除ボタン６２７でロック解除操作を行うと、グリップ本体部６１はマウント部６５を軸として回動可能となる。また、ユーザがロック解除操作を終了すると、終了時の回動位置でグリップ本体部６１の位置が固定される。ここで、撮像装置３０にカメラグリップ６０を取り付けた場合、撮像装置３０のマウント部３５とカメラグリップ６０のマウント部６５は固定されている。したがって、ロック解除ボタン６２７を操作して、撮像装置３０とカメラグリップ６０の位置関係を調整できる。
【００４６】
撮像システム１０では、撮像装置３０にカメラグリップ６０が装着されたとき、撮像装置３０におけるケーブル方向がカメラグリップ６０のケーブル位置規制部で規制されるケーブル方向となるように構成されている。また、撮像システム１０では、グリップ本体部６１の回動に応じて、マウント部６５に対する接続ケーブル７５の巻き付けまたは巻き戻しを行い、撮像装置とカメラグリップとの位置関係が変化しても接続ケーブル７５が大きく撓まないようにする。
【００４７】
例えば、カメラグリップ６０に対して撮像装置３０を矢印ＰＤ方向に回転させて撮像方向を水平方向から下向き方向とすると、ジャックに挿入されているプラグ７６の位置も、マウント部３５を回動軸として矢印ＰＤの方向に移動する。ここで、プラグ７６が矢印ＰＤの方向に移動すると、接続ケーブル７５は、撮像方向が水平方向に比べでマウント部６５に対する巻き付きが多くなり大きく撓むことがない。
【００４８】
また、カメラグリップ６０に対して撮像装置３０を矢印ＰＵ方向に回転させて撮像方向が水平方向から上向き方向とすると、ジャックに挿入されているプラグ７６の位置も、マウント部３５を回動軸として矢印ＰＵの方向に移動する。ここで、プラグ７６が矢印ＰＵの方向に移動すると、接続ケーブル７５はマウント部６５から巻き戻される。したがって、接続ケーブル７５は大きく撓むことなく、撮像装置３０とカメラグリップ６０を接続できる。
【００４９】
このように、撮像装置３０とカメラグリップ６０との位置関係が回動方向ＭＡに変化した場合、位置関係の変化に応じてマウント部６５に対する接続ケーブル７５の巻き付きや巻き戻しが行われて、接続ケーブル７５が大きな撓みを生じてしまうことを防止できる。したがって、接続ケーブル７５がユーザのスイッチ操作等に対して障害となってしまうことがなく、撮像ポジションの変化にかかわらず撮像装置の操作性を良好に保つことができるようになる。
【００５０】
＜４．撮像装置のマウント部の他の構成＞
ところで、撮像装置で用いられるアクセサリは、取り付け面を菊座（ロゼット面）で構成しているものがある。また、一方の面が菊座で他方の面側にアクセサリ等の取付部が設けられている菊座アダプター等も用いられる。
【００５１】
図１２は、菊座を説明するための図である。なお、図１２の（ａ）は正面図、図１２の（ｂ）は斜視図を示している。菊座３５６は座面の中心から放射状に延びる凸面３５６ａと凹面３５６ｂを複数設けて構成されている。また、座面の中央部には、菊座を設けたアクセサリ等を撮像装置に固定するための固定ねじを挿通する挿通孔３５６ｃが形成されている。さらに、菊座３５６には、菊座３５６をアクセサリ等の本体に取り付けるための取り付け孔３５６ｄが設けられている。
【００５２】
撮像装置３０のマウント部３５の他の構成では、取り付け面が菊座とされているアクセサリ等をカメラグリップ６０に代えて取り付け可能とする場合について説明する。図１３は、撮像装置のマウント部の他の構成を例示している。上述のように、撮像装置３０のマウント部３５は、右側面に形成された円形状凹部３５１にリング状のマウントベース部３５２が設けられている。マウントベース部３５２の内周面には、突出してバヨネット爪３５２ａが形成されている。また、円形状凹部３５１とマウントベース部３５２との間には、リング状に形成された板バネ部３５３が設けられており、マウントベース部３５２の外側面には体裁リング３５４が設けられている。さらに、マウント部３５の内部すなわち円形状凹部３５１の底面中央には、菊座３５６が設けられている。また、菊座３５６の中央には、アクセサリ等を撮像装置に固定するための固定用ねじ穴３５７が形成されている。
【００５３】
このようにマウント部３５を形成すると、カメラグリップ６０が撮像装置３０から取り外されている場合、菊座を有したアクセサリ等を取り付けることができる。具体的には、マウント部３５の菊座３５６とアクセサリ等の取り付け面に設けられた菊座を対向させて、アクセサリ等における菊座の中央に設けられている固定ねじをマウント部３５の固定用ねじ穴３５７に螺着する。この場合、菊座が対向していることから一方の菊座の凹部には他方の菊座の凸部が嵌合して、撮像装置とアクセサリ等を確実に固定できる。また、固定ねじを緩めて菊座の凹部と凸部の嵌合状態を解除すれば、固定ねじを回転軸としてアクセサリ等が回動可能となり、撮像装置に対してアクセサリ等を所望の位置に変更することができる。
【００５４】
なお、本明細書に記載した効果はあくまで例示であって限定されるものではなく、記載されていない付加的な効果があってもよい。また、本技術は、上述した実施の形態に限定して解釈されるべきではない。この技術の実施の形態は、例示という形態で本技術を開示しており、本技術の要旨を逸脱しない範囲で当業者が実施の形態の修正や代用をなし得ることは自明である。すなわち、本技術の要旨を判断するためには、請求の範囲を参酌すべきである。
【００５５】
また、本技術の撮像装置は以下のような構成も取ることができる。
（１）  装置本体にカメラグリップを着脱可能に装着するマウント部を設け、
前記マウント部をバヨネット機構で構成した撮像装置。
（２）  前記装置本体と前記カメラグリップを接続する接続ケーブルの前記装置本体におけるケーブル方向を、前記マウント部の接線方向とした（１）に記載の撮像装置。
（３）  前記装置本体の前記マウント部を設けた面に、前記接続ケーブルを接続するためのジャックを設け、
前記ジャックに対するプラグの挿脱方向を、前記プラグが取り付けられた接続ケーブルのケーブル方向が前記マウント部の上側接線となる方向とした（１）または（２）に記載の撮像装置。
（４）  前記マウント部の内部に菊座と、
前記菊座の中央に固定用ねじ穴を設けた（１）乃至（３）の何れかに記載の撮像装置。
【産業上の利用可能性】
【００５６】
この技術の撮像装置とカメラグリップおよび撮像システムでは、撮像装置にカメラグリップを着脱可能に装着するマウント部、カメラグリップに撮像装置を着脱可能に装着するマウント部がそれぞれ設けられて、マウント部はバヨネット機構で構成される。したがって、撮像装置とカメラグリップとの着脱が容易となり操作性を向上できるため、例えば業務用ビデオカメラ等に適している。
【符号の説明】
【００５７】
１０・・・撮像システム
２０・・・レンズユニット
３０・・・撮像装置
３２・・・操作部
３２，６２・・・操作部
３５，６５・・・マウント部
３６・・・ジャック
３４・・・ビューファインダ部
６０・・・カメラグリップ
６１・・・グリップ本体部
６１ａ・・・対向面
６７・・・ケーブルガイド突起部
６８・・・ケーブルガイド溝部
７５・・・接続ケーブル
７６・・・プラグ
８０・・・バッテリー
３５１・・・円形状凹部
３５２・・・マウントベース部
３５２ａ・・・バヨネット爪
３５２ｂ，３５３ｂ，３５４ｂ、３５６ｄ・・・取り付け孔
３５３・・・板バネ部
３５３ａ・・・作用部
３５４・・・体裁リング
３５６・・・菊座
３５６ａ・・・凸面
３５６ｂ・・・凹面
３５６ｃ・・・挿通孔
３５７・・・固定用ねじ穴
６２７・・・ロック解除ボタン
６５１・・・マウントベース部
６５２・・・マウント本体部
【図１】
2017038272.tif 000003
【図２】
2017038272.tif 000004
【図３】
2017038272.tif 000005
【図４】
2017038272.tif 000006
【図５】
2017038272.tif 000007
【図６】
2017038272.tif 000008
【図７】
2017038272.tif 000009
【図８】
2017038272.tif 000010
【図９】
2017038272.tif 000011
【図１０】
2017038272.tif 000012
【図１１】
2017038272.tif 000013
【図１２】
2017038272.tif 000014
【図１３】
2017038272.tif 000015
【国際調査報告】
2017038272.tif 000016
2017038272.tif 000017
2017038272.tif 000018
2017038272.tif 000019